(57)【要約】【課題】  通信可能範囲に携帯電話等の存在を確認した上でリモコン等の操作を可能にして、装置の操作のセキュリティを確保する情報処理装置を提供する。【解決手段】  携帯機器の識別子を記憶する記憶部と、記憶部が記憶する識別子の携帯機器を無線通信により検出する通信部と、操作情報を入力する操作部と、通信部が携帯機器を検出すると操作部の操作情報の入力を可能とし操作情報に応じて情報処理を行なう制御部とをもつ情報処理装置。【選択図】図１
2007300435.tif 000002
【特許請求の範囲】
【請求項１】
携帯機器の識別子を記憶する記憶部と、
前記記憶部が記憶する前記識別子の前記携帯機器を無線通信により検出する通信部と、
操作情報を入力する操作部と、
前記通信部が前記携帯機器を検出すると、前記操作部の前記操作情報の入力を可能とし、前記操作情報に応じて情報処理を行なう制御部と、
を具備することを特徴とする情報処理装置。
【請求項２】
前記通信部は、Bluetooth（登録商標）通信規格により前記携帯機器と通信を行なうことを特徴とする請求項１記載の情報処理装置。
【請求項３】
前記通信部は、定期的に前記携帯機器の識別子を検出することを特徴とする請求項１記載の情報処理装置。
【請求項４】
前記制御部は、所定時間、前記識別子を検出しない場合、前記操作部からの前記操作情報に応じた情報処理を制限することを特徴とする請求項１記載の情報処理装置。
【請求項５】
前記通信部が前記携帯機器を検出しなかった場合、電力消費を抑制することを特徴とする請求項１記載の情報処理装置。
【請求項６】
前記記憶部は、記憶する複数の識別子に対して各々異なる機能を対応付けて記憶し、前記制御部は、前記識別子に応じた機能を実現することを特徴とする請求項１記載の情報処理装置。
【請求項７】
前記記憶部は、記憶する複数の識別子に対して有効又は無効を記憶し、前記制御部は、前記記憶部に有効と記憶した前記携帯機器の識別子を前記通信部が検出すると、前記操作情報に応じた情報処理を行なうことを特徴とする請求項１記載の情報処理装置。
【請求項８】
前記記憶部は、記憶する複数の識別子に対して録画・再生可能の機能と、再生のみ可能の機能を記憶し、
前記制御部は、前記通信部が前記携帯機器の識別子を検出すると、前記識別子に応じた録画機能及び又は再生機能を実現することを特徴とする請求項１記載の情報処理装置。
【請求項９】
前記記憶部は、記憶する複数の識別子に対して処理対象の情報を全ディレクトリ又は一部ディレクトリであることを記憶し、
前記制御部は、前記通信部が前記携帯機器の識別子を検出すると、前記識別子に応じた全ディレクトリ又は一部ディレクトリを対象として情報処理を行なうことを特徴とする請求項１記載の情報処理装置。
【請求項１０】
携帯装置と無線通信する情報処理装置の操作制御方法であって、
携帯機器の識別子を記憶し、
前記識別子の前記携帯機器を無線通信により検出し、
前記識別子の前記携帯機器を検出すると、受け取った前記情報処理装置の操作情報を有効として、この操作情報に応じて情報処理を行なうことを特徴とする情報処理装置の操作制御方法。
【請求項１１】
前記情報処理装置と前記携帯装置とは、Bluetooth（登録商標）通信規格により通信を行なうことを特徴とする請求項１０記載の情報処理装置の操作制御方法。
【請求項１２】
定期的に前記携帯機器の識別子を検出することを特徴とする請求項１０記載の情報処理装置の操作制御方法。
【請求項１３】
所定時間、前記識別子を検出しない場合、前記操作部からの前記操作情報に応じた情報処理を制限することを特徴とする請求項１０記載の情報処理装置の操作制御方法。
【発明の詳細な説明】
【技術分野】
【０００１】
情報処理装置及び情報処理装置の操作制御方法に関し、特に、例えばBluetooth（登録商標）等の近距離無線通信が可能な情報処理装置及びその操作制御方法に関する。
【背景技術】
【０００２】
最近、デジタル機器の製造・普及が進み、これと共にこれらのデジタル機器間の通信も容易になってきている。これにより、デジタル機器間の通信を利用した操作制御の技術が広範に知られている。
【０００３】
特許文献１には、固有のＩＤを備えた応答装置が受信装置の周囲に配置され、受信装置は自身の近傍の応答装置のＩＤが受信した通信信号に重畳させている場合に、通信信号を自分宛てであると判定する技術が開示されている。
【特許文献１】特開２００５−２７２５７公報
【発明の開示】
【発明が解決しようとする課題】
【０００４】
しかし、特許文献１の従来技術は、複数のデジタル機器の間の通信を行なう際の手順を詳細に述べているものではあるが、デジタル機器の操作に係るセキュリティを実現する方法は示されてはいないという問題がある。
【０００５】
本発明は上記事情を考慮してなされたもので、操作に係るセキュリティを向上させることができる情報処理装置を提供する目的とする。
【課題を解決するための手段】
【０００６】
この発明に係る情報処理装置は、携帯機器の識別子を記憶する記憶部と、前記記憶部が記憶する前記識別子の前記携帯機器を無線通信により検出する通信部と、操作情報を入力する操作部と、前記通信部が前記携帯機器を検出すると、前記操作部の前記操作情報の入力を可能とし、前記操作情報に応じて情報処理を行なう制御部とを具備することを特徴とする情報処理装置である。
【０００７】
又、この発明に係る情報処理装置の操作制御方法は、携帯装置と無線通信する情報処理装置の操作制御方法であって、携帯機器の識別子を記憶し、前記識別子の前記携帯機器を無線通信により検出し、前記識別子の前記携帯機器を検出すると、受け取った前記情報処理装置の操作情報を有効として、この操作情報に応じて情報処理を行なうことを特徴とする情報処理装置の操作制御方法である。
【発明の効果】
【０００８】
通信可能範囲に携帯電話等の存在を確認すると、ハードディスクレコーダやＰＣ等の情報処理装置のリモコン等の操作に係るセキュリティを向上させることができる。
【発明を実施するための最良の形態】
【０００９】
以下、この発明の実施の形態について図面を参照して詳細に説明する。  
図１は、本発明の一実施形態に係る情報処理装置と携帯電話とリモコンとを示す説明図。図２は、同じく情報処理装置の構成の一例を示すブロック図。図３は、同じく情報処理装置における携帯電話制御モードの動作の一例を示すフローチャート。図４は、同じく情報処理装置における複数の携帯電話の識別子と対応する情報の一例を示す説明図。図５は、同じく情報処理装置における複数の携帯電話の識別子と対応付けられて設定される機能と情報処理対象の一例を示す説明図。図６は、同じく情報処理装置における識別子の検出処理のタイミングの一例を示すタイミングチャート。図７は、同じく情報処理装置の一例であるハードディスクレコーダの構成の一例を示すブロック図。図８は、同じく情報処理装置が検出する携帯機器の一例である携帯電話の構成の一例を示すブロック図である。
【００１０】
＜本発明の一実施形態に係る情報処理装置＞
（構成）
本発明の一実施形態である情報処理装置のシステム例を図１に示す。図１において、情報処理装置１は、例えば、Bluetoothや無線ＬＡＮ等の無線通信機能を備えており、同様の機能を備えた携帯電話２等の携帯機器の識別子（ＩＤ）を検出する。その結果、例えば、登録されたユーザが所有する携帯電話の識別子を検出した場合のみリモコン３等による操作を可能とする。これにより、ＩＤが登録された携帯機器をもたない第三者は、パソコンやハードディスクレコーダ等である情報処理装置１を勝手に操作することができないので、セキュリティを確保することができる。ここで、携帯電話２等の携帯機器は、情報処理装置１のオーナが所有しているものであるとする。
【００１１】
次に、図２を用いて、本発明の実施形態である情報処理装置１の構成を説明する。情報処理装置１は、全体の動作を制御する制御部１６と、これに接続される操作可否判断部１１と、携帯電話等の携帯機器のＩＤや仕様等を記録する携帯電話ＩＤ記憶部１２と、主電源装置部１３と、制御部１６や主電源装置部１３に接続されるスイッチ部１４と、スイッチ部１４の他端に接続される従電源装置部１９とを有している。更に、情報処理装置１は、外部のリモコン３と通信を行うリモコン信号受信部１５と、制御部１６に接続されるタイマー部１７と、Bluetoothや無線ＬＡＮ等の無線通信機能により携帯電話等の携帯機器と通信するためのアンテナ１９とこれに接続される無線通信部２０と、制御部１６に接続される操作部２１と、操作情報等を表示する表示部２２とを有している。
【００１２】
これらの構成を有する情報処理装置１は、リモコン３や操作部２１を介して操作を受けると、制御部１６等の働きにより所望の情報処理を行うものである。しかし、後述する携帯電話制御モードにおいては、通信範囲内にオーナの携帯電話等の携帯機器を検出したときだけ、リモコン信号受信部１５及び操作部２１による制御を有効とする等の制限機能を与える。
【００１３】
（携帯電話制御モードの動作）
次に、フローチャートを用いて、操作可否判断部１１、携帯機器ＩＤ記憶部１２等からなる携帯電話制御モードの動作を詳細に説明する。
【００１４】
初めに、制御部１６はユーザの操作等により携帯電話制御モードが選択されているかどうかを判断する（Ｓ１１）。すなわち、携帯電話制御モードはユーザが任意に選択可能であり、無効にすることもできる。携帯電話制御モードが選択された状態で、ユーザの操作部２１等の操作により、図４に示すように複数の携帯機器の識別子（ＩＤ）として、例えば、Bluetoothの１２桁のアドレス等を登録する（Ｓ１２）。ここで、各アドレスに応じて、有効無効を設定してもよいし、制御範囲を設定することも好適である。
【００１５】
ここで制御範囲とは、操作可能なデータのディレクトリや、機能範囲に関するものを言う。例えば、図５の例であれば、Ａをユーザが制御範囲として指定した場合は、『録画／再生』の両機能が可能となり、『全ディレクトリ』の空き領域及びコンテンツを対象に録画処理や再生処理を行うことができる。Ｂをユーザが制御範囲として指定した場合は、『録画／再生』の両機能が可能となり、『一部ディレクトリ』の空き領域及びコンテンツを対象に録画処理や再生処理を行うことができる。同様に、Ｃを選択した場合には『再生』の機能が可能となり、『全ディレクトリ』のコンテンツを対象に再生処理を行うことができる。Ｄであれば『再生』の機能が可能となり、『一部ディレクトリ』のコンテンツを対象に再生処理を行うことができる。
【００１６】
図６に示すタイミングチャートに示すように、無線通信部２０、操作可否判断部１１、携帯機器ＩＤ記憶部１２の連携動作により、情報処理装置１は、タイミングＴ１のように定期的なタイミングで、Inquiry信号を発行し、携帯機器ＩＤ記憶部１２に記憶された携帯機器の識別子（ＩＤ）を検出する（Ｓ１３）。そして、識別子（ＩＤ）を検出したら（Ｓ１４）、操作可否判断部１１は、携帯機器ＩＤ記憶部１２にＩＤを記憶しているかいなかを判断し、タイミングＴ２のように検出信号を生成する。そして、タイミングＴ４のように制御可能とする。又、ステップＳ１４にて、ＩＤが検出できなかったら、タイマー１７をオンして計時を始める（Ｓ１６）。
【００１７】
ステップＳ１６以降は、現在、携帯電話のＩＤが検出できるかどうかを判断し（Ｓ１７）、もし、その後、携帯電話のＩＤを検出すれば、タイマー１７をオフし（Ｓ１８）、ステップＳ１３に戻る。又、携帯電話のＩＤが検出されないままにタイムアウトすれば（Ｓ１９）、操作可否判断部１１及び制御部１６の制御により、リモコン２又は操作部２１からの操作制御不能とする。
【００１８】
タイミングＴ３１のように、所定時間Ｔ３１の間、例えば、連続して４回もＩＤが検出されない場合には、初めて携帯電話の識別子（ＩＤ）が見つからないと判断して、操作制御可能から操作制御不能に状態を変移させるものである（Ｓ２０）。
【００１９】
・他の実施形態
上述した情報処理装置１において、他の実施形態として、操作可否判断部１１と制御部１６による制御動作として、必ずしも上述したタイマー１７を使用せずに、操作制御を行うことも好適である。
【００２０】
又、同様に他の実施形態として、操作可否判断部１１と制御部１６による制御動作によって操作を有効・無効にするだけではなく、スイッチ部１４を利用して、携帯電話等が領域内になくなって所定時間を経過すれば、自動的に電源をオフすることが好適である。これにより、オーナが不在なのに、不要に情報処理装置１の電源がオンになったままであるという状態を回避することができる。
【００２１】
又、一つの使用方法として、登録されたＩＤの携帯機器を持つ所有者が装置の近くにいる場合でも、装置と無線通信する携帯機器の無線通信部の電源をオフすることによって、装置を制御できなくしたり、装置の電源を自動的に切断したりすることができる。
【００２２】
更にこのように電源をオフにする電力消費を低減させる制御を行なうことで、省電力効果を見込むこともできる。
【００２３】
＜本発明の一実施形態である情報処理装置の一例＞
本発明の一実施形態である情報処理装置１は、例えば、デジタルテレビ、パソコン、ハードディスクレコーダ、オーディオ機器、エアコン等の家電機器等、非常に多くの種類の形態が可能である。ここでは、ハードディスクレコーダを一例として、以下に構成例として詳細に説明する。
【００２４】
初めに、図７は、本発明の一実施形態に係る放送記録装置の構成の一例を示すブロック図である。図７の情報処理装置１’は、２種類のディスクドライブ部を有する。まず、ビデオファイルを構築できる情報記録媒体である第１のメディアとしての光ディスクＤを回転駆動し、情報の読み書きを実行する光ディスクドライブ部１１９を有する。又、第２のメディアとしてのハードディスクを駆動するハードディスクドライブ部１１８を有する。制御部１３０は、全体の動作を司るべくデータバスを介して各部に接続されている。
【００２５】
又、図７の情報処理装置１’は、録画側を構成するエンコーダ部１２１と、再生側を構成するＭＰＥＧデコーダ部１２３と、装置本体の動作を制御する制御部１３０とを主たる構成要素としている。
【００２６】
情報処理装置１’は、入力側のセレクタ１６と出力側のセレクタ１１７とを有しており、入力側のセレクタ１１６には、Bluetooth（登録商標）の無線機能やＬＡＮ等の通信部１１１と、いわゆる衛星放送（ＢＳ／ＣＳ）チューナ部１１２と、いわゆる地上波チューナ部１１３とが接続され、エンコーダ部１２１に信号を出力する。又、ＢＳ／ＣＳチューナ部１１２には衛星アンテナが、地上波チューナ部１１３には地上波アンテナが接続されている。
【００２７】
又、情報処理装置１’は、エンコーダ部１２１と、エンコーダ部１２１の出力を受け、データ編集等の所望のデータ処理を行うデータ編集部１２０、データ編集部１２０に接続されるハードディスクドライブ部１１８、光ディスクドライブ部１１９を有している。
【００２８】
更に、情報処理装置１’は、ハードディスクドライブ部１１８、光ディスクドライブ部１１９からの信号を受けてデコードするＭＰＥＧデコーダ部１２３と、エンコーダ部１２１、バッファ部１２２、ＭＰＥＧデコーダ部１２３、多重化部１２８、分離部１２９、制御部１３０、予約録画部１４２、予約リストや番組表画像を生成する番組表生成部１４３、携帯電話制御部１３４、携帯機器ＩＤ記憶部１３５を有している。これらの各部は、データバスを介して制御部１３０に接続されている。
【００２９】
セレクタ部１１７の出力は、外部の受像機１４１に接続されるか、外部装置との通信を行うインタフェース部２７を介して、外部装置に供給される。
【００３０】
情報処理装置１’は、データバスを介して制御部１３０に接続され、ユーザの操作やリモコンＲの操作を受ける操作部１３２を有している。ここで、リモコンは、情報処理装置１’の本体に設けられる操作部１３２とほぼ同等の操作を可能とするものであり、ハードディスクドライブ部１１８や光ディスクドライブ部１１９の記録再生指示や、編集指示、又、チューナの操作、予約録画の設定等、各種設定が可能である。
【００３１】
（動作）
このような構成の情報処理装置１’において、光ディスクに例を取って、再生処理と記録処理の概要を説明すると、制御部１３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００３２】
又、光ディスクの記録処理は、制御部１３０の制御下において、例えば図示しない入力部を介しセレクタ部１１６を介して供給されたデータは、エンコーダ部２１に供給され、コード化されて出力される。このコード化出力と制御部１３０の出力に応じて、レーザドライバの駆動電流が光ピックアップに供給され、光ディスクＤの記憶領域に照射することで、記録処理が行われるものである。
【００３３】
更に、携帯電話制御部１３４を設けることにより、上述したオーナの携帯電話等の携帯装置が通信範囲内で検出できたかどうかにより、リモコン等の操作を有効にしたり無効にしたりすることができる。これにより、例えば、上述したハードディスクレコーダ等の情報処理装置１では、例えば、オーナが登録した録画予約が第三者により削除されたり、録画済の重要なコンテンツが第三者に削除されたりするという不具合を解消し、ユーザは初期の携帯電話のＩＤの登録処理を行うだけで、容易にセキュリティを確保した操作を行うことが可能となるものである。
【００３４】
＜本発明の一実施形態である情報処理装置と通信を行う携帯装置の例である携帯電話＞
本発明の一実施形態である情報処理装置と通信を行う携帯装置の例である携帯電話を図８を用いて説明する。携帯電話２である移動型通信装置Ｍは、通信部２００と、アンテナ２０１と、デュプレクサ２０２と、ＲＦ受信利得可変増幅器２０３と、ＲＦ帯域制限フィルタ２０４と、周波数変換器２０５と、ＩＦ帯域制限フィルタ２０６と、ＩＦ受信利得可変増幅器２０７と、変調・復調部２０８と、ＩＦ送信利得可変増幅器２１１と、周波数変換器２１２と、ＲＦ帯域制限フィルタ２１３と、ＲＦ送信利得可変増幅器２１４と、電力増幅器２１５と、アイソレータ２１６と、ボコーダ２２３と、スピーカ２２４とを有している。
【００３５】
又、更に、移動型通信装置Ｍは、全体の動作を制御すると共に動画コンテンツ制御機能、番組予約制御機能等を有する制御部２３１と、赤外線通信やBluetooth（登録商標）等の通信機能、又、外部メモリ等との接続機能等を有するＩ／Ｆ部２３２と、複数のスイッチ等を有している操作部２３３と、操作情報や写真画像等を表示する表示部２３４と、動画コンテンツや番組予約情報等を記憶する記憶部２３５と、ＭＰＥＧデコーダ・音声映像処理部２３６と、メール処理部２３７とが制御部２３１に接続されている。又、ＭＰＥＧデコーダ・音声映像処理部２３６の出力は、それぞれ表示部２３４とスピーカ２２４とに接続されている。又、制御部２３１は、上述したＩ／Ｆ部２３２を介して、自己の識別子である例えばBluetooth（登録商標）アドレスを情報処理装置１に供給する。
【００３６】
又、変調・復調部２０８は、例えば直交復調部２８１と、Ａ／Ｄ変換部２８２と、情報信号復調部２８３と、復号化部２９２とからなり、更に、ボコーダ２２３からの信号を暗号化する暗号化部２８９と、情報信号変調部２８４と、Ｄ／Ａ変換部２８５と、直交変調部２８６とにより構成される。この構成において、直交復調部２８１で直交復調された信号はＡ／Ｄ変換部２８２でＡ／Ｄ変換され、信号復調部２８３で情報信号復調されて、復号化部２９２により復号されて出力される。
【００３７】
この移動型通信装置Ｍはこのような構成において、受信処理について説明すると、基地局から送信されるフォワードリンク信号はアンテナ２０１で受信、デュプレクサ２０２で受信機側回路へ供給され、ＲＦ受信利得可変増幅器２０３で増幅あるいは減衰され、ＲＦ帯域制限フィルタ２０４で不要成分をフィルタリングされ、周波数変換器２０５でＲＦ帯からＩＦ帯へ周波数変換され、ＩＦ帯域制限フィルタ２０６で不要成分をフィルタリングされ、ＩＦ受信利得可変増幅器２０７で増幅あるいは減衰され、変調・復調部２０８へ入力する。
【００３８】
変調・復調部２０８は、例えば直交復調部２８１と、Ａ／Ｄ変換部２８２と、情報信号復調部２８３と、情報信号変調部２８４と、Ｄ／Ａ変換部２８５と、直交変調部２８６で構成される。
【００３９】
ここで、暗号化部２８９と復号化部２９２とは、共通の暗号鍵情報で暗号化され復号されることが好適であり、暗号化処理により通話される音声情報の不当な傍聴を防止するものである。しかし、厳密には、送信側の移動型通話部からの暗号化のための暗号鍵情報と受信側の復号化部２９２との鍵情報が共通であればよい。
【００４０】
この構成を有する移動型通信装置Ｍの受信処理について以下に説明すると、表示部２３４の操作情報の表示に応じて、ユーザの操作部２３３から与えられる操作情報に応じ、制御部２３１の動作制御に従って、以下のような動作が行われる。すなわち、直交復調部２８１で直交復調された信号は、Ａ／Ｄ変換部２８２でＡ／Ｄ変換され信号復調部２８３で情報信号復調され、更に復号化部２９２で復号されて音声としてスピーカ２２４に出力される。
【００４１】
又、更にこの移動型通信装置Ｍの送信処理について以下に説明すると、同様に、表示部２３４の操作情報の表示に応じて、ユーザの操作部２３３から与えられる操作情報に応じ、制御部２３１の動作制御に従って、以下のような動作が行われる。すなわち、移動局から送信されるリバースリンク信号はボコーダ２２３により与えられ、これを暗号化部２８９にて暗号化する。この暗号化された暗号化信号は、情報信号変調部２８４で変調されて出力されＤ／Ａ変換部２８５でＤ／Ａ変換、直交変調部２８６で直交変調され、ＩＦ送信利得可変増幅器２１１で増幅あるいは減衰され、周波数変換器２１２でＩＦ帯からＲＦ帯へ周波数変換され、ＲＦ帯域制限フィルタ２１３で不要成分をフィルタリングして、ＲＦ送信利得可変増幅器２１４で増幅あるいは減衰され、電力増幅器２１５で増幅され、アイソレータ２１６を介してデュプレクサ２０２でアンテナ２０１ヘ供給され、空間へ送信されるものである。
【００４２】
又、このような送受信処理を応用することで、基地局Ｂを経由してインターネットに接続することが可能となり、ＵＲＬを指定して所望のサーバＳ等に対して情報の送受信を行ったり、ｅメール等を利用することが可能である。
【００４３】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４４】
【図１】本発明の一実施形態に係る情報処理装置と携帯電話とリモコンとを示す説明図。
【図２】本発明の一実施形態に係る情報処理装置の構成の一例を示すブロック図。
【図３】本発明の一実施形態に係る情報処理装置における携帯電話制御モードの動作の一例を示すフローチャート。
【図４】本発明の一実施形態に係る情報処理装置における複数の携帯電話の識別子と対応する情報の一例を示す説明図。
【図５】本発明の一実施形態に係る情報処理装置における複数の携帯電話の識別子と対応付けられて設定される機能と情報処理対象の一例を示す説明図。
【図６】本発明の一実施形態に係る情報処理装置における識別子の検出処理のタイミングの一例を示すタイミングチャート。
【図７】本発明の一実施形態に係る情報処理装置の一例であるハードディスクレコーダの構成の一例を示すブロック図。
【図８】本発明の一実施形態に係る情報処理装置が検出する携帯機器の一例である携帯電話の構成の一例を示すブロック図。
【符号の説明】
【００４５】
１…情報処理装置、１１…操作可否判断部、１２…携帯機器ＩＤ記憶部、１３…主電源装置部、１４…スイッチ部、１５…リモコン信号受信部、１６…制御部、１７…タイマー、１８…従電源装置部、１９…アンテナ、２０…無線通信部、２１…操作部、２２…表示部。
【図１】
2007300435.tif 000003
【図２】
2007300435.tif 000004
【図３】
2007300435.tif 000005
【図４】
2007300435.tif 000006
【図５】
2007300435.tif 000007
【図６】
2007300435.tif 000008
【図７】
2007300435.tif 000009
【図８】
2007300435.tif 000010